(57)【要約】【課題】  小さな制御電流で放電灯負荷回路への電力をＯＮ／ＯＦＦし、放電灯の点灯、消灯ができる安価で小型の放電灯点灯装置を提供する。【解決手段】  直流電源１から供給される直流を高周波電流に変換する２つのスイッチング素子２、３を有するインバータ回路、インバータ回路の一方のスイッチング素子に並列に接続されたチョークコイル５、このチョークコイル５に放電灯６を介して接続されたカップリングコンデンサ８の直列回路からなる放電灯負荷回路Ｌ１０、チョークコイル５に設けられた２次巻線５ａ、５ｂ、スイッチング素子２、３の制御端子に流れる電流をバイパスさせるまたはしないようにしてインバータ回路の発振をＯＮ／ＯＦＦする切替回路および切替回路にＯＮ／ＯＦＦ制御信号を出力する出力制御回路ＳＷ１０とを備える。【選択図】        図１
2005142020.tif 000002
【特許請求の範囲】
【請求項１】
直流電源と、
この直流電源から供給される直流を高周波電流に変換する２つのスイッチング素子を有するハーフブリッジ回路からなるインバータ回路と、
このインバータ回路の１方のスイッチング素子に並列に接続されたチョークコイル、このチョークコイルに放電灯を介して接続されたカップリングコンデンサの直列回路及び上記放電灯に並列に接続されたコンデンサからなる放電灯負荷回路と、
上記チョークコイルに設けられ、上記スイッチング素子を駆動する電圧を出力する２次巻線と、
上記スイッチング素子の制御端子に流れる電流をバイパスさせるまたはしないようにして上記インバータ回路の発振をＯＮ／ＯＦＦする切替回路と、
この切替回路にＯＮ／ＯＦＦ制御信号を出力する出力制御回路と、
を備えたことを特徴とする放電灯点灯装置。
【請求項２】
チョークコイルの２次巻線に発生する電圧を検出する電圧検出回路と、
この電圧検出回路の検出電圧が予め定めた値を超えた場合にスイッチング素子の発振を停止し、この発振停止状態を保持する保持回路と、
を備え、
切替回路と上記保持回路をワイヤードオア接続したことを特徴とする請求項１記載の放電灯点灯装置。
【請求項３】
出力制御回路は人の有無を検出し、人の有無に基づいてＯＮ／ＯＦＦ制御信号を出力する人感センサとしたことを特徴とする請求項１または２記載の放電灯点灯装置。
【請求項４】
出力制御回路は、予め定めた時刻範囲にＯＮ／ＯＦＦ制御信号を出力する時刻回路としたことを特徴とする請求項１または２記載の放電灯点灯装置。
【請求項５】
出力制御回路は、予め定めたタイマー期間にＯＮ／ＯＦＦ制御信号を出力するタイマー回路としたことを特徴とする請求項１または２記載の放電灯点灯装置。
【請求項６】
出力制御回路は、人の有無を検出し、人の有無に基づいてＯＮ／ＯＦＦ制御信号を出力する人感センサと、
予め定めた時刻範囲にＯＮ／ＯＦＦ制御信号を出力する時刻回路と、
予め定めたタイマー期間にＯＮ／ＯＦＦ制御信号を出力するタイマー回路と、
を備え、上記人感センサと、上記時刻回路、または、上記タイマー回路と、を
ワイヤードオア接続したことを特徴とする請求項１または２記載の放電灯点灯装置。
【請求項７】
出力制御回路への駆動電源の電源供給端子と、切替回路への入力端子とを有する接続端子部をインバータ回路が搭載された基板上に備え、上記出力制御回路は接続線を介して上記電源供給端子と入力端子に各々接続されることを特徴とする請求項６記載の放電灯点灯装置。
【発明の詳細な説明】
【技術分野】
【０００１】
この発明は、放電灯を人感センサ、時計、タイマ等でＯＮ／ＯＦＦ  させることができる放電灯点灯装置に関するものである。
【背景技術】
【０００２】
照明装置を人感センサ等の信号でＯＮ／ＯＦＦさせる従来技術として、次の防犯用照明点消灯装置があり、この装置は照明装置を点灯及び消灯するスイッチ手段と、照明装置を通常の生活パターンに合わせて設定されたタイムスケジュールに従って点灯及び消灯するようスイッチ手段を制御するスイッチ制御手段とを備えることにより、留守であるにも拘わらず家屋内にあたかも人が居るような自然のＯＮ／ＯＦＦ動作を実現するようにしている。（例えば特許文献１）
【０００３】
【特許文献１】特開平１０−２８４２６２号公報（段落００１３〜００１９、図２）
【発明の開示】
【発明が解決しようとする課題】
【０００４】
上記の従来装置では、照明装置のＯＮ／ＯＦＦはタイマ、人感センサ等の信号を入力とするスイッチ制御回路部の出力でスイッチ手段を制御し、上記スイッチ手段で照明装置の駆動電源ライン線を直接ＯＮ／ＯＦＦすることにより行われる。しかし、この方式では照明装置をＯＮ／ＯＦＦするのに入力駆動電源ライン線を直接ＯＮ／ＯＦＦするのでスイッチ手段には大きな負荷電流と電源ライン線の大きな電圧に絶える大型で高価な部品が必要になる問題があった。
【０００５】
この発明は、上記のような問題点を解決するためになされたもので、この発明の第１の目的は、人感センサ、タイマ回路及び時計回路等の出力制御回路からの微少出力制御電流と連動して直流電源から大きな主電流が流出する回路部を直接ＯＮ／ＯＦＦすることなく、小さな制御電流で放電灯負荷回路への電力をＯＮ／ＯＦＦし、放電灯の点灯、消灯ができる安価で小型の放電灯点灯装置を提供することを目的とする。
【０００６】
また、この発明の第２の目的は、人感センサ、タイマ回路及び時計回路等の出力制御回路からの微少出力制御電流と連動して直流電源から大きな主電流が流出する回路部を直接ＯＮ／ＯＦＦすることなく、小さな制御電流で放電灯負荷回路への電力をＯＮ／ＯＦＦし、放電灯の点灯、消灯ができるとともに、同一回路部を共用して放電灯の寿命末期時に自動的にインバータ回路の発振を停止する保護回路機能を備えた放電灯点灯装置を提供することを目的とする。
【０００７】
また、この発明の第３の目的は、機能の異なる多種の点灯方式が可能な安価で小型の放電灯点灯装置を提供することを目的とする。
【０００８】
また、この発明の第４の目的は、人が居る場合に放電灯を点灯し、人が不在の場合は自動的に消灯する安価、小型、省エネが可能な放電灯点灯装置を提供することを目的とする。
【０００９】
また、この発明の第５の目的は、予め定められた時刻範囲内に放電灯を点灯し、それ以外は自動的に消灯する安価、小型、省エネが可能な放電灯点灯装置を提供することを目的とする。ここで、上記の予め定められた時刻範囲とは、例えば、日没から日の出までの時間帯で、人が玄関近傍に居る場合にのみ自動点灯が可能な放電灯点灯装置である。
【００１０】
また、この発明の第６の目的は、予め定められた期間のみ放電灯を点灯し、それが過ぎれば自動的に消灯する安価、小型、省エネが可能な放電灯点灯装置を提供することを目的とする。ここで、上記の予め定められた期間内とは、例えば１時間の期間内でこれをベッドに設置の読書灯などに適用すれば、人が眠ってしまっても１時間の期間後、自動的に消灯可能な放電灯点灯装置である。
【００１１】
また、この発明の第７の目的は、予め定められた時刻範囲内または予め定められた期間内であって、かつ、人感センサからの出力があった場合にのみ放電灯を点灯し、それ以外は人感センサの出力が有っても点灯させないようにし点灯期間を限定することで省エネができる放電灯点灯装置を提供することを目的とする。
【課題を解決するための手段】
【００１２】
この発明に係る放電灯点灯装置は、直流電源と、この直流電源から供給される直流を高周波電流に変換する２つのスイッチング素子を有するハーフブリッジ回路からなるインバータ回路と、このインバータ回路の一方のスイッチング素子に並列に接続されたチョークコイル、このチョークコイルに放電灯を介して接続されたカップリングコンデンサの直列回路及び上記放電灯に並列に接続されたコンデンサからなる放電灯負荷回路と、上記チョークコイルに設けられ、上記スイッチング素子を駆動する電圧を出力する２次巻線と、上記スイッチング素子の制御端子に流れる電流をバイパスさせるまたはしないようにして上記インバータ回路の発振をＯＮ／ＯＦＦする切替回路と、この切替回路にＯＮ／ＯＦＦ制御信号を出力する出力制御回路と、を備えたものである。
【発明の効果】
【００１３】
この発明に係る放電灯点灯装置は、直流電源と、この直流電源から供給される直流を高周波電流に変換する２つのスイッチング素子を有するハーフブリッジ回路からなるインバータ回路と、このインバータ回路の一方のスイッチング素子に並列に接続されたチョークコイル、このチョークコイルに放電灯を介して接続されたカップリングコンデンサの直列回路及び上記放電灯に並列に接続されたコンデンサからなる放電灯負荷回路と、上記チョークコイルに設けられ、上記スイッチング素子を駆動する電圧を出力する２次巻線と、上記スイッチング素子の制御端子に流れる電流をバイパスさせるまたはしないようにして上記インバータ回路の発振をＯＮ／ＯＦＦする切替回路と、この切替回路にＯＮ／ＯＦＦ制御信号を出力する出力制御回路と、を備えたので、人感センサ、タイマ回路及び時計回路等の出力制御回路からの微少出力制御電流と連動して直流電源から大きな主電流が流出する回路部を直接ＯＮ／ＯＦＦすることなく、小さな制御電流で放電灯負荷回路への電力をＯＮ／ＯＦＦし、放電灯の点灯、消灯ができ、安価で、小型にすることができる。
【発明を実施するための最良の形態】
【００１４】
実施の形態１．
図１は、この発明の実施の形態を示す放電灯点灯装置の回路図である。図において、直流電源１は、例えば、商用電源をダイオードブリッジで整流後電解コンデンサで平滑して得られる。スイッチング素子であるＭＯＳＦＥＴ２、３の直列回路は直流電源１に接続されインバータ回路を構成する。抵抗１１はＭＯＳＦＥＴ２と並列に接続される。チョークコイル５、放電灯６、カップリングコンデンサ８は直列に接続され、これらの直列回路はスイッチング素子３に並列に接続される。放電灯６にはコンデンサ７が並列に接続される。ダイオード９のアノードは直流電源１の負極に、カソードはカップリングコンデンサ８と放電灯６の接続点に接続される。ダイオード１０のアノードはダイオード９のカソードに、カソードは直流電源１の正極に接続される。一点鎖線枠Ｌ１０で示したこれらの回路要素は放電灯負荷回路を構成する。
【００１５】
チョークコイル５には２つ２次巻線５ａ、５ｂを設け、上記２次巻線は図示・印の極性でスイッチング素子２及び３を交互にＯＮ／ＯＦＦ駆動するように抵抗１３及び抵抗１４を介してゲート・ソース間に接続される。（チョークコイル５の１次巻線と２次巻線の結合を表すため、一点鎖線で図示してある。）なお、スイッチング素子２及び３のドレイン・ソース間に並列に内蔵されている等価ダイオードは図示を省略している。
【００１６】
抵抗１２は放電灯６のチョークコイル５側のフィラメントとコンデンサ７との接続点に一端が接続され、他端がコンデンサ１６を介して直流電源１の負極に接続される。トリガーダイオード１７は抵抗１２とコンデンサ１６の接続点に一端が接続され、他端は抵抗１８を介してＭＯＳＦＥＴ３の制御端子（ゲート）に接続される。ダイオード１９のアノードは抵抗１２とコンデンサ１６の接続点に、カソードはＭＯＳＦＥＴ３のドレインに接続される。一点鎖線枠ＳＴ１０で示したこれらの回路要素は起動回路を構成する。
【００１７】
ダイオード２０のアノードはダイオード１７のアノードに接続され、カソードはトランジスタ３１のコレクタに接続される。ダイオード２１のアノードはＭＯＳＦＥＴ３のゲートに、カソードはトランジスタ３１のコレクタに接続される。
【００１８】
トランジスタ３１のエミッタは直流電源１の負極に、ベースは抵抗３２と抵抗３３の各々の一端が接続された接続点に接続される。抵抗３２の他端は直流電源１の負極に、抵抗３３の他端はトランジスタ３４のコレクタに接続される。抵抗３７の一端はトランジスタ３４のコレクタに、他端はツェナーダイオード３８のカソードに接続される。ツェナーダイオード３８のアノードは直流電源１の負極に接続される。トランジスタ３４のベースは抵抗３５と抵抗３６の各々の一端が接続された接続点に接続される。抵抗３５の他端は直流電源１の負極に、抵抗３６の他端は出力制御回路ＯＣ１０の出力端子に接続される。一点鎖線枠ＳＷ１０で示したこれらの回路要素は切替回路を構成する。
【００１９】
コンデンサ３９はツェナーダイオード３８と並列に接続される。抵抗３０の一端は直流電源１の正極に、他端はツェナーダイオード３８のカソードに接続される。ここで、ＯＣ１０は人の有無（在又は不在）を検出する人感センサを具備し、人が居る場合はＨ出力を、不在の場合はＬ出力となり、切替回路ＳＷ１０を介してインバータ回路をＯＮ／ＯＦＦ制御する出力制御回路である。
【００２０】
以下、本発明の実施の形態１の回路の動作を図１により説明する。図１において、直流電源１が投入された時、出力制御回路ＯＣ１０に備えた人感センサが人が居ない（不在）と検出した場合はその出力はＬとなる。ＯＣ１０の出力がＬの場合、トランジスタ３４のコレクタはＨ、トランジスタ３３のコレクタはＬとなる。即ち、切替回路ＳＷ１０の出力はＬなので、ＭＯＳＦＥＴ３のゲート及びコンデンサ１６と抵抗１２の接続点の電位もＬとなりインバータ回路は起動・発振ができず、放電灯６は消灯状態である。
【００２１】
次に、出力制御回路に備えた人感センサが人が居る（在）ことを検出した場合はその出力はＨとなる。ＯＣ１０の出力がＨの場合、トランジスタ３４のコレクタはＬ、トランジスタ３３のコレクタはＨとなり、切替回路ＳＷ１０の出力はＨとなるので、ＭＯＳＦＥＴ３のゲート及びコンデンサ１６と抵抗１２の接続点の電位はＨとなる。この状態になれば、コンデンサ１６には直流電源１の正極から抵抗１１、チョークコイル５、放電灯６のフィラメント、抵抗１２経路で充電電流がコンデンサ１６に流れその電圧は時間の経過とともに上昇する。
【００２２】
コンデンサ１６の電圧がトリガーダイオード１７のブレイクオーバ（ｂｒｅａｋ  ｏｖｅｒ）電圧に達すれば、コンデンサ１６に充電された電荷はトリガーダイオード１７、抵抗１８、抵抗１３、２次巻線５ｂの経路で放電し、その時に抵抗１３と２次巻線５ｂに発生した電圧がＭＯＳＦＥＴ３のゲートに印加されるため、ＭＯＳＦＥＴ３はＯＮとなる。ＭＯＳＦＦＥＴ３がＯＮになれば、抵抗１１を介してコンデンサ７とカップリングコンデンサ８に充電されていた電荷は、チョークコイル５、ＭＯＳＦＥＴ３の経路で放電し、この放電電流でチョークコイル５に発生する電圧により、ＭＯＳＦＥＴ３は更にＯＮに付勢され、ＭＯＳＦＥＴ２はＯＦＦとなる。
【００２３】
放電灯負荷回路Ｌ１０のチョークコイル５、コンデンサ７、カップリングコンデンサ８で定まる周期の後チョークコイル５の電流は反転するので、２次巻線５ａ、５ｂの作用で、次には、ＭＯＳＦＥＴ２がＯＮ、ＭＯＳＦＥＴ３がＯＦＦに転ずる。以降、ＭＯＳＦＥＴ２とＭＯＳＦＥＴ３は交互にＯＮ／ＯＦＦし放電灯６は点灯する。次に、放電灯６が点灯状態で再び出力制御回路ＯＣ１０の出力がＬ（人が不在）になれば、切替回路ＳＷ１０の出力がＬになり、ＭＯＳＦＥＴ３のゲート及びコンデンサ１６と抵抗１２の接続点の電位もＬとなりインバータ回路は発振できず、放電灯６は消灯状態となる。即ち、出力制御回路ＯＣ１０に備えた人感センサが人が居る（在）ことを検出すれば放電灯６は点灯、人が居ない（不在）場合、放電灯６は消灯状態となる。
【００２４】
なお、出力制御回路としては人感センサを具備するものに限らず、時計回路を具備して、例えば、日没から日の出までの時刻の範囲でＨ出力するようにすれば、放電灯６は日没に点灯し、日の出で消灯するように設定できる。
また、出力制御回路ＯＣ１０にタイマ回路を具備し、例えば、電源投入時から１時間の期間でＨ出力するようにしたものをベッド設置の読書灯として適用すれば、消灯を忘れた場合でも１時間後には自動的に消灯するようにすることができる。
【００２５】
以上のように本発明の実施の形態１によれば、人感センサ、時計回路及びタイマ回路等を備えた出力制御回路からの微少出力制御電流と連動して直流電源から大きな主電流が流出する回路部を直接ＯＮ／ＯＦＦすることなく、小さな制御電流で放電灯負荷回路への電力をＯＮ／ＯＦＦし、放電灯の点灯、消灯ができ、安価で、小型で、省エネを可能にすることができる。
また、人が居る（在）場合に点灯し、不在になれば消灯する省エネができ、安価で小型にすることができる。
【００２６】
実施の形態２．
図２は、この発明の実施の形態２を示す放電灯点灯装置の回路図である。図において、実施の形態１を示す図１と同一又は相当する回路及び部品には同一の記号及び名称を付し説明を省略する。図２は、図１において、放電灯６がフィラメントの放電物質などの消耗で寿命末期になったか否かを検出するＰＰ検出回路ＰＰ１０、放電灯６が寿命末期になった場合に、出力制御回路ＯＣ１０及び切替回路の状態如何に係わらずインバータ回路の発振を停止し、その状態を保持する保持回路ＬＡ１０を付加したものである。
【００２７】
図２において、コンデンサ４１、４２は直列に接続され、コンデンサ４２の他端は直流電源１の負極にコンデンサ４１の他端はチョークコイル５の２次巻５ｂと抵抗１３の接続点に接続される。ダイオード４３のアノードは直流電源１の負極に、カソードはコンデンサ４２とコンデンサ４１の接続点に接続される。ダイオード４４のアノードはダイオード４３のカソードに、カソードはコンデンサ４５の一端に接続される。コンデンサ４５の他端は直流電源１の負極に接続される。これらのコンデンサ４１、４２、ダイオード４３、４４はおよびコンデンサ４５はチョークコイル５の２次巻線５ｂに発生する電圧のピーク電圧（以降  ｐｅａｋ  ｔｏ  ｐｅａｋ電圧を略しＰＰ電圧と呼ぶ）を、コンデンサ４１とコンデンサ４２の静電容量値の逆比でダイオード４４のアノード電圧、即ち、コンデンサ４５の電圧として得るための電圧検出回路ＰＰ１０を構成している（破線で図示）。
【００２８】
放電灯６が寿命末期になると放電電流が減少しその等価インピーダンスが増大するため、放電灯負荷回路Ｌ１０を構成するチョークコイル５の電流も増大し、その２次巻線５ｂのＰＰ電圧であるコンデンサ４５の電圧が増大する。即ち、放電灯６が寿命末期になれば、コンデンサ４５には正常放電時に比べ大きな電圧が得られる。抵抗４６の一端はダイオード４４のカソードに他端はツェナーダイオード４７のカソードにされる。ツェナーダイオード４７のアノードはサイリスタ５３のゲートに接続される。
【００２９】
サイリスタ５３のアノードはトランジスタ３１のコレクタに、カソードは直流電源１の負極に接続される。サイリスタ５３のゲートと直流電源１の負極との間にコンデンサ５１と抵抗５２の並列回路が接続される。これらのサイリスタ５３、コンデンサ５１、抵抗５２は保持回路ＬＡ１０を構成している（波線で図示）。
【００３０】
以下、本発明の実施の形態２の回路の動作図２により説明する。図２において、直流電源１が投入された時、出力制御回路ＯＣ１０に備えた人感センサが人が居ない（不在）と検出した場合はその出力はＬとなる。ＯＣ１０の出力がＬの場合、切替回路ＳＷ１０の出力はＬなのでインバータ回路は動作せず放電灯６は消灯状態である。次に、出力制御回路に備えた人感センサが人が居る（在）ことを検出した場合は放電灯６が正常の場合は点灯状態になることは実施の形態１と同一である。ここでツェナーダイオード４７の電圧を、放電灯６が正常放電をしている場合にコンデンサ４５に得られる電圧ではサイリスタ５３はＯＮせず、放電灯６が寿命末期になった場合にコンデンサ４５に得られる電圧でサイリスタ５３がＯＮするように選定する。
【００３１】
この状態で放電灯６が寿命末期になればＰＰ検出回路ＰＰ１０のコンデンサ４５の電圧が正常放電時より上昇し、サイリスタ５３はＯＮとなり、実施の形態１でトランジスタ３１がＯＮになった場合と同様にインバータ回路は発振を停止し、放電灯６は消灯する。サイリスタ５３には直流電源１から抵抗１１、チョークコイル５、放電灯６のフィラメント、抵抗１２、ダイオード２０を介して電流が流れ続けるので直流電源１を遮断するまでこのＯＮ状態を保持し続ける。
【００３２】
以上のように、本発明の実施の形態２によれば、チョークコイル５の２次巻線５ｂに発生する電圧を検出して、上記検出電圧が予め定めた値を超えた場合に上記スイッチング素子の制御端子の電流をバイパスするようにＯＮし保持するサイリスタ５３の回路を上記切替回路ＳＷ１０のトランジスタ３１にワイヤード  オア（ＷＩＲＥＤ  ＯＲ）で付加しているので、放電灯６が寿命末期になった場合は、出力制御回路ＯＣ１０に備えた人感センサが人が居る（在）と検出し、出力制御回路の出力がＨレベル（点灯）でもインバータ回路のＯＮ／ＯＦＦをする切替回路ＳＷ１０を共用することにより簡単な回路構成でインバータ回路の発振を停止し、放電灯６を安全に消灯することができる。
【００３３】
実施の形態３．
図３は、この発明の実施の形態３を示す放電灯点灯装置の回路図である。図において、実施の形態１及び２と同一又は相当する回路及び部品には同一の記号及び名称を付し、説明を省略する。図３は図２において、出力制御回路ＯＣ１０に具備する人感センサに替えて時計回路（図示せず）を備えた出力制御回路ＯＣ２０を設置した構成のものである。出力制御回路ＯＣ２０の時計回路は、例えば、日没から日の出までの時刻の範囲でＨを出力し、それ以外の時刻でＬを出力するようにすれば、放電灯６は日没に点灯し、日の出で消灯するようにすることができる。
【００３４】
このように、日没から日の出までの時刻の範囲点灯し、それ以外は消灯に設定しておけば点灯可能時刻範囲で、かつ、人が居る（在）の場合のみ点灯させることができ、また、出力制御回路ＯＣ１０に時計回路備えた放電灯点灯装置付き照明器具を門灯、玄関灯などに適用すれば、明るい日中の時間帯の不要な点灯を防ぐことができるばかりでなく夜間でも人が居る（在）場合のみ点灯でき、安価で、小型で、省エネを可能にすることができる。
【００３５】
実施の形態４．
図４は、この発明の実施の形態４を示す放電灯点灯装置の回路図である。図において、実施の形態１乃至３と同一又は相当する回路及び部品には同一の記号及び名称を付し、説明を省略する。図４において、出力制御回路ＯＣ１１は実施の形態２の図２における出力制御回路１０で人感センサの検出出力をオープンコレクタ等の出力回路方式に替えて出力するようにした人感センサを備えたものである。また、出力制御回路ＯＣ２１は実施の形態３の図３における出力制御回路２０の時計回路の検出出力をオープンコレクタ等の出力回路方式に替えて出力するようにしたタイマ回路を備えたものである。
出力制御回路ＯＣ２１のタイマ回路は例えば、電源投入時から１時間の期間でＨを出力するようにし、それ以降はＬを出力するようにしたものである。
【００３６】
このように、出力回路ＯＣ１１及び出力回路ＯＣ２１を備えた放電灯点灯装置付き照明器具をベッド設置の読書灯等として適用すれば、人が居る（在）ことを検出し、タイマで定めた１時間後には自動的に消灯することができる。従って、１時間以内に眠ってしまい消灯し忘れた場合でも確実に消灯することができ、また、１時間以内でも人が不在になれば消灯することができるので不要な点灯を防ぐことができ、また、小型で安価で省エネを可能にすることができる。
【００３７】
実施の形態５．
図５は、この発明の実施の形態５を示す放電灯点灯装置の回路図である。図において、実施の形態１乃至４と同一又は相当する回路及び部品には同一の記号及び名称を付し、説明を省略する。図５において、接続端子ＣＮ１０はインバータ回路と同一のプリント基板（以降  ＰＷＢと呼ぶ）に設置され、上記インバータ回路のＰＷＢとは接続線を介して別置された出力制御回路ＯＣ１０への駆動電源の供給と出力制御回路ＯＣ１０からの出力信号の受入機能を有する接続用端子である。接続端子ＣＮ１０には図示のように人感センサを備えた出力制御回路ＯＣ１０の他に、実施の形態３の図３に示した時計回路を備えた出力制御回路ＯＣ２０、または、実施の形態４の図４に示した人感センサを備えた出力制御回路ＯＣ１１と時計回路を備えた出力制御回路ＯＣ２１のワイヤード  オア（ＷＩＲＥＤ  ＯＲ）回路等が接続線を介して別置で接続される。
【００３８】
以上のように、本実施の形態５によれば、インバータ回路を搭載した同一のＰＷＢに人感センサ、時計、タイマ、または、これらの組み合わせからなる出力制御回路を接続することにより、異なった機能を持つ放電灯点灯装置を簡単に構成することができる。また、異なる機能を持つ出力制御回路への変更を簡単に実施できる。
さらに、インバータを搭載したＰＷＢと人感センサ部等が接続線で別置できるので、出力制御回路の備える機能上好ましい設置場所が拡大でき、照明装置の小型化等のための設置位置の制約を緩和できる。
【図面の簡単な説明】
【００３９】
【図１】この発明の実施の形態１を示す放電灯点灯装置の回路図である。
【図２】この発明の実施の形態２を示す放電灯点灯装置の回路図である。
【図３】この発明の実施の形態３を示す放電灯点灯装置の回路図である。
【図４】この発明の実施の形態４を示す放電灯点灯装置の回路図である。
【図５】この発明の実施の形態５を示す放電灯点灯装置の回路図である。
【符号の説明】
【００４０】
１  直流電源、２、３  ＳＷ  素子、５  チョークコイル、５ａ、５ｂ  ２次巻線、６  放電灯、７  コンデンサ、８  コンデンサ、１６  コンデンサ、１７  トリガダイオード、３８  ツェナーダイオード、４７  ツェナーダイオード、５３  サイリスタ、Ｌ１０  放電灯負荷回路、ＯＣ１０  出力制御回路  （人感センサ回路）、ＯＣ２０  出力制御回路  （時計回路）、ＯＣ１１  出力制御回路（人感センサ回路）、ＯＣ２１  出力制御回路（時計回路）、ＳＴ１０  起動回路、ＳＷ１０  切替回路、ＰＰ１０  ＰＰ検出回路、ＬＡ１０  保持回路、ＣＮ１０  接続端子。
【図１】
2005142020.tif 000003
【図２】
2005142020.tif 000004
【図３】
2005142020.tif 000005
【図４】
2005142020.tif 000006
【図５】
2005142020.tif 000007